(57)【要約】【課題】ゴミが外側に散乱し難い吸込口部材を提供すること。【解決手段】掃除機用吸込口部材１は、下面側の略中央に、左右方向が長手方向の略矩形状の吸引口２を備え、吸引口２の内側の前端の左右方向に沿って、スリット状の第一空気吹出口３１が、吹出方向を下後方に備えられ、吸引口２の内側の後端の左右方向に沿って、スリット状の第二空気吹出口３２が、吹出方向を下前方に備えられる。吸引口２から上に、排出通風路２２が延設され、排出通風路２２を取り囲むように、空気導入口３６を設けた環状の送風通風路３５が備えられ、環状の送風通風路３５に、第一空気吹出口３１と第二空気吹出口３２とがそれぞれ連通される。【選択図】図４
2020185169.tif 000002
【特許請求の範囲】
【請求項１】
吸引口を備える掃除機用吸込口部材であって、
該吸引口の内側の前端部に、スリット状の第一空気吹出口が該吸引口の左右方向に沿って備えられ、該第一空気吹出口の吹出方向が鉛直方向の下向きと前後方向の後ろ向きとの間であることを特徴とする掃除機用吸込口部材。
【請求項２】
前記吸引口の内側の後端部に、スリット状の第二空気吹出口が該吸引口の左右方向に沿って備えられ、該第二空気吹出口の吹出方向が鉛直方向の下向きと前後方向の前向きとの間であることを特徴とする請求項１に記載の掃除機用吸込口部材。
【請求項３】
前記吸引口から上に、排出通風路が延設され、
該排出通風路を取り囲むように、前記第一空気吹出口と前記第二空気吹出口とに空気を送風する環状の送風通風路が設けられ、
該送風通風路に、前記第一空気吹出口と前記第二空気吹出口とがそれぞれ連通されていることを特徴とする請求項２に記載の掃除機用吸込口部材。
【請求項４】
環状の前記送風通風路の前側部の前後方向の断面積が後側部の前後方向の断面積より大きいものであることを特徴とする請求項３に記載の掃除機用吸込口部材。
【請求項５】
前記第一空気吹出口と前記第二空気吹出口のスリット幅がそれぞれ０．５〜５ｍｍであることを特徴とする請求項２に記載の掃除機用吸込口部材。
【請求項６】
請求項１〜５のいずれか１項に記載の掃除機用吸込口部材を備えたことを特徴とする掃除機。
【発明の詳細な説明】
【技術分野】
【０００１】
本発明は、吸引口を備える掃除機用吸込口部材及び掃除機に関する。
【背景技術】
【０００２】
従来、吸引口を備える掃除機用吸込口部材として、特許文献１には、吸引口近傍に１つ以上の空気吹出口を備える吸込口部材が記載されている。この吸込口部材は、空気吹出口から吹き出された空気によって、床面、畳面又はカーペット面などの被清掃面に付着したゴミを舞い上げて、ゴミを吸引口から吸引する。
【先行技術文献】
【特許文献】
【０００３】
【特許文献１】特開２００３−２９９５９９号公報
【発明の概要】
【発明が解決しようとする課題】
【０００４】
しかし、特許文献１に記載された吸込口部材は、空気吹出口から吹き出された空気によって舞い上がったゴミが吸込口部材から漏れて吸込口部材の外側に散乱されてしまうという課題があった。
【０００５】
本発明は、上記にかんがみて、ゴミが外側に散乱し難い吸込口部材を提供することを目的とする。
【課題を解決するための手段】
【０００６】
本発明の掃除機用吸込口部材は、吸引口を備える掃除機用吸込口部材であって、
該吸引口の内側の前端部に、スリット状の第一空気吹出口が該吸引口の左右方向に沿って備えられ、該第一空気吹出口の吹出方向が鉛直方向の下向きと前後方向の後ろ向きとの間であることを特徴とする。
【０００７】
本発明の掃除機用吸込口部材によれば、第一空気吹出口は、吸引口の内側の前端部に備えられ、吹出方向が下向きと後向きとの間の即ち斜め下後方に向けられている。このため、空気吹出口から吹き出された空気流が、被清掃面に当たり、被清掃面に付着したゴミを舞い上げて、吸引口の吸引方向に向けて反射されるため、ゴミが吸込口部材の外側に散乱し難いものとすることができる。
【０００８】
ここで、上記掃除機用吸込口部材において、前記吸引口の内側の後端部に、スリット状の第二空気吹出口が該吸引口の左右方向に沿って備えられ、該第二空気吹出口の吹出方向が鉛直方向の下向きと前後方向の前向きとの間であるものとすることができる。
【０００９】
これによれば、吸引口の前端部に配置された第一空気吹出口の吹出方向が斜め下後方に向けられ、吸引口の後端部に配置された第二空気吹出口の吹出方向が下向きと前向きとの間の即ち斜め下前方に向けられている。このため、被清掃面に付着したゴミが前後両方向からの空気流によって舞い上げられるため、効率良くゴミを吸引除去することができる。
【００１０】
また、上記掃除機用吸込口部材において、前記吸引口から上に、排出通風路が延設され、
該排出通風路を取り囲むように、前記第一空気吹出口と前記第二空気吹出口とに空気を送風する環状の送風通風路が設けられ、
該送風通風路に、前記第一空気吹出口と前記第二空気吹出口とがそれぞれ連通されているものとすることができる。
【００１１】
これによれば、環状の送風通風路に、第一空気吹出口と第二空気吹出口とがそれぞれ連通されている。このため、送風通風路に送風する１つの送風機によって、第一空気吹出口と第二空気吹出口に送風することができるため、上記掃除機用吸込口部材を備える掃除機をコンパクトなものとすることができる。
【００１２】
また、上記掃除機用吸込口部材において、環状の前記送風通風路の前側部の前後方向の断面積が後側部の前後方向の断面積より大きいものとすることができる。
【００１３】
これによれば、空気導入口のある前側部の送風通風路の圧力損失を小さくし、後側部の送風通風路まで十分な送風量を確保することができる。
【００１４】
また、上記掃除機用吸込口部材において、前記第一空気吹出口と前記第二空気吹出口のスリット幅がそれぞれ０．５〜５ｍｍであるものとすることができる。
【００１５】
これによれば、第一空気吹出口と第二空気吹出口からの送風量を最適なものとすることができる。
【００１６】
また、本発明の掃除機によれば、上記掃除機用吸込口部材を備えたことを特徴とする。これによれば、効率良くゴミを吸引除去することができる。
【発明の効果】
【００１７】
本発明の掃除機用吸込口部材によれば、第一空気吹出口は、吸引口の内側の前端部に備えられ、吹出方向が下向きと後向きとの間の即ち斜め下後方に向けられている。このため、空気吹出口から吹き出された空気流が、被清掃面に当たり、被清掃面に付着したゴミを舞い上げて、吸引口の吸引方向に向けて反射されるため、ゴミが吸込口部材の外側に散乱し難いものとすることができる。
【図面の簡単な説明】
【００１８】
【図１】本発明の一実施形態を示す掃除機用吸込口部材の正面からの斜視図である。
【図２】同掃除機用吸込口部材を左前方下側から見上げた斜視図である。
【図３】同掃除機用吸込口部材の送風通風路のイメージ平面図である。
【図４】図３のIV−IV線位置の断面図である。
【図５】図３のV−V線位置の断面図である。
【発明を実施するための形態】
【００１９】
以下、本発明の実施形態に係る掃除機用吸込口部材１について説明する。実施形態の掃除機用吸込口部材１は、図１に示すように、左右方向が長手方向の略長方体形状であり、上側の左右方向の略中央から、図４に示す如く、ゴミＤと共に空気を排出する排出管２３と、ゴミＤを舞い上げる空気流を送風する送風管３３が、掃除機用吸込口部材１の上後方に延設されている。排出管２３は、掃除機本体に備えられた汎用の吸引機構（図示せず。）に接続され、送風管３３は、掃除機本体に備えられた汎用の吹出機構（図示せず。）に接続される。
【００２０】
掃除機用吸込口部材１は、図２に示すように、下面側の略中央に、左右方向が長手方向の略矩形状の吸引口２を備え、図３に示すように、吸引口２の内側の前端の左右方向に沿って、スリット状の第一空気吹出口３１が、吹出方向を鉛直方向の下向きから前後方向の後ろ向きとの間（下後方）になるように備えられ、吸引口２の内側の後端の左右方向に沿って、スリット状の第二空気吹出口３２が、吹出方向を鉛直方向の下向きから前後方向の前向きとの間（下前方）になるように備えられる。図４に示すように、吸引口２から上に、上側が狭窄された排出通風路２２が延設され、排出通風路２２の水平方向の外側に、排出通風路２２を取り囲むように、空気導入口３６を設けた環状の送風通風路３５が備えられる。環状の送風通風路３５に、第一空気吹出口３１と第二空気吹出口３２とがそれぞれ連通され、空気導入口３６には、吹出機構から接続された送風管３３が接続される。ここで、掃除機用吸込口部材１の前後は、図１に示すように、空気吹出口３に空気を送風する送風管３３が備えられている側を前とし、吸引口２から空気を排出する排出管２３が備えられている側を後ろとする。上下左右は、掃除機用吸込口部材１を、床面、畳面又はカーペット面などの被清掃面Ｆに押圧した状態で後ろ側から見た際の上下左右とする。
【００２１】
吸引口２は、後述する空気吹出口３からの空気流Ｗと被清掃面Ｆから舞い上がったゴミＤを吸引する開口であり、図２に示すように、掃除機用吸込口部材１の下面側の略中央に、左右方向を長手方向とする略矩形状に形成される。図４及び図５に示すように、吸引口２から上方に、上方が前後方向及び左右方向に狭窄された排出通風路２２が延設され、狭窄された排出通風路２２の上方に、回動機構２４を介して排出管２３が接続される。回動機構２４は、掃除機用吸込口部材１を備える掃除機の使用の際に、排出管２３を軸に、掃除機用吸込口部材１を水平方向等に回動可能にするものである。排出管２３は、掃除機本体の吸引機構に接続される。吸引機構の吸引力が、排出管２３、回動機構２４、排出通風路２２及び吸引口２を介して、後述する空気吹出口３からの空気流Ｗと被清掃面Ｆから舞い上がったゴミＤを吸引する。
【００２２】
図４に示すように、吸引口２の内側の前端部に左右方向に沿って、スリット状の第一空気吹出口３１が設けられ、第一空気吹出口３１は、吹出方向を鉛直方向の下向きから前後方向の後ろ向きに傾斜角度αが４５°傾向した下後方に向けて備えられる。吸引口２の内側の後端部に左右方向に沿って、スリット状の第二空気吹出口３２が設けられ、第二空気吹出口３２は、吹出方向を鉛直方向の下向きから前後方向の前向きに傾斜角度βが４５°傾向した下前方に向けて備えられる。第一空気吹出口３１と第二空気吹出口３２は、吸引口２の下端面の開口面２１より上側となる吸引口２の内側に備えられている。このため、掃除機用吸込口部材１を被清掃面Ｆに押圧した状態で、空気吹出口３から送風された空気が吸引口２から漏れることを防いでいる。
【００２３】
スリット状の空気吹出口３（第一空気吹出口３１及び第二空気吹出口３２）のスリット幅Ｌは、それぞれ１．０ｍｍとした。図３に示すように、空気吹出口３の前後方向には、空気吹出口３からの空気の流れを一定にする整流板としてのフィン３７が左右に並んで設けられている。
【００２４】
排出通風路２２の水平方向の外側に、排出通風路２２を取り囲むように、空気導入口３６を設けた矩形環状の送風通風路３５が備えられ、環状の送風通風路３５に、空気吹出口３が連通される。
【００２５】
環状の送風通風路３５は、図３，４に示すように、前側送風通風路３５ａと後側送風通風路３５ｂとで前後方向に沿った断面積が異なり、前側送風通風路３５ａの断面積が後側送風通風路３５ｂの断面積より大きくなっている。具体的には、前側送風通風路３５ａの断面積：後側送風通風路３５ｂの断面積＝２：１となるようにしている。これにより、空気導入口のある前側送風通風路３５ａの圧力損失を小さくし、後側送風通風路３５ｂまで十分な送風量を確保するようにしている。また、主たる進行方向の前側となる第一空気吹出口３１から吹き出される空気量を多くすることができるため、効率良く、被清掃面Ｆに付着したゴミＤを舞い上げて、舞い上がったゴミＤを吸引口２から吸引させることができる。
【００２６】
図４に示すように、環状の送風通風路３５の前側の左右方向の略中心の上側には、空気導入口３６が設けられ、空気導入口３６には、掃除機本体の吹出機構に接続された送風管３３の先端の自在接続部３４が接続される。送風管３３の先端の自在接続部３４は、蛇腹形状により屈曲自在に形成され、自在接続部３４を除いた送風管３３は、排出管２３と一体に成形される。送風管３３の自在接続部３４は、排出管２３の回動機構２４の回動に連動して屈曲する。
【００２７】
図２に示すように、吸込口部材１の下側の吸引口２の前後には、被清掃面Ｆに付着したゴミＤを物理的にかき出す、かき出しブラシ５１が左右方向の回動軸５２（図４）により軸支され回動可能に取り付けられている。また、吸込口部材１の下側の吸引口２の左右には、仕切ブラシ５３が設けられている。吸込口部材１を被清掃面Ｆに押圧して掃除機を使用する際に、仕切ブラシ５３とかき出しブラシ５１によって、吸引口２の周囲が閉塞され、空気吹出口３から吹き出された空気と舞い上がったゴミＤとが吸込口部材１の外側に散乱されることをより防止することができる。
【００２８】
次に、実施形態の掃除機用吸込口部材１の使用方法を図面に基づいて説明する。実施形態の掃除機用吸込口部材１は、掃除機本体の電源スイッチ（図示せず。）を入れ、吹出機構と吸引機構を始動させることにより、被清掃面Ｆに付着したゴミＤを吸込み可能な状態（使用状態）となる。
【００２９】
使用状態では、吹出機構からは空気が吹き出され、吹き出された空気は、空気流Ｗとして、送風管３３、自在接続部４３及び空気導入口３６を介して、送風通風路３５に導入される。
【００３０】
図４に示すように、送風通風路３５に導入された空気流Ｗは、圧力が高められた状態で送風通風路３５内に溜められ、吸引口２の内側の前端の左右方向に設けられた第一空気吹出口３１から下後方に噴出され、後端の左右方向に設けられた第二空気吹出口３２から下前方に噴出される。第一空気吹出口３１が接続された送風通風路３５の前側の通風路の断面積が、第二空気吹出口３２が接続された送風通風路３５の後側の通風路の断面積より大きいため、第一空気吹出口３１からの噴出量を第二空気吹出口３２からの噴出量より多くすることができる。これにより、主たる進行方向の前側から吹き出される空気量を多くすることができるため、効率良く、被清掃面Ｆに付着したゴミＤを排出通風路２２内に舞い上げることが可能となる。
【００３１】
このとき、第一空気吹出口３１と第二空気吹出口３２が、吸引口２の下端面の開口面２１より上側となる吸引口２の内側に備えられて、吸引口２の前端に配置された第一空気吹出口３１の吹出方向が下後方に向けられ、吸引口２の前端に配置された第二空気吹出口３２の吹出方向が下前方に向けられている。これにより、空気吹出口３から吹き出された空気流Ｗが、被清掃面Ｆに当たり、被清掃面Ｆに付着したゴミＤを舞い上げて、排出通風路２２に向けて反射されるため、ゴミＧが吸込口部材１の外側に散乱し難いものとすることができる。
【００３２】
使用状態の吸引機構は、排出通風路２２内の空気（空気流Ｗ）とゴミＤを吸引する。空気流ＷとゴミＤは、排出通風路２２、回動機構２４及び排出管２３を介して、吸引機構に吸引され、吸引機構内のサイクロン式分離器（図示せず。）によって、ゴミＤが分離される。
【００３３】
なお、実施形態の掃除機用吸込口部材は、以下のような形態であっても実施することができる。
【００３４】
実施形態の掃除機用吸込口部材１では、スリット状の第一空気吹出口３１の吹出方向を、鉛直方向の下向きから前後方向の後ろ向きに傾斜角度αを４５°傾向けさせたが、傾斜角度αは、１５〜７５°であれば、好適に被清掃面Ｆに付着したゴミＤを舞い上げ、ゴミＤを吸引口２から吸引することができる。傾斜角度αが１５°未満だと、鉛直方向に近いため、被清掃面Ｆに噴出した空気流Ｗの一部がゴミＤと共に吸込口部材１の外側に放出されるおそれがある。一方、傾斜角度αが７５°を超えると、被清掃面Ｆへの送風が弱く、被清掃面Ｆに付着したゴミＤを十分に舞い上げることができないおそれがある。より好ましくは、傾斜角度αは、３０〜６０°である。同じ理由で、スリット状の第二空気吹出口３２の吹出方向を、鉛直方向の下向きから前後方向の前向きに傾斜角度βを４５°傾向させたが、傾斜角度βは、１５〜７５°であれば、好適に被清掃面Ｆに付着したゴミＤを舞い上げ、ゴミＤを吸引口２から吸引することができ、より好ましくは、傾斜角度βは、３０〜６０°である。
【００３５】
実施形態の掃除機用吸込口部材１では、スリット状の空気吹出口３（第一空気吹出口３１及び第二空気吹出口３２）のスリット幅Ｌを１．０ｍｍとしたが、スリット幅Ｌは、０．５〜５ｍｍであれば、好適に被清掃面Ｆに付着したゴミＤを舞い上げることができる。スリット幅Ｌが０．５ｍｍ未満だと、スリットから吹き出される空気量が少なくなり、被清掃面Ｆに付着したゴミＤを十分に舞い上げることができないおそれがある。一方、スリット幅Ｌが５ｍｍを超えると、スリットから吹き出される空気の圧力が損失され、これまた、被清掃面Ｆに付着したゴミＤを十分に舞い上げることができないおそれがある。より好ましくは、スリット幅Ｌは、０．７〜３ｍｍであり、さらに好ましくは、０．９〜２ｍｍである。
【００３６】
実施形態の掃除機用吸込口部材１では、環状の送風通風路３５の前後で前後方向の断面積は、前側の断面積：後側の断面積＝２：１としたが、前側の断面積：後側の断面積＝１．２〜５：１であれば、空気導入口のある前側送風通風路３５ａの圧力損失を小さくし、後側送風通風路３５ｂまで十分な送風量を確保することができる。より好ましくは、前側の断面積：後側の断面積＝１．５〜３：１であり、さらに好ましくは、前側の断面積：後側の断面積＝１．８〜２．５：１である。
【００３７】
実施形態の掃除機用吸込口部材１では、空気吹出口３に導風する装置として、掃除機本体の吹出機構を用いたが、掃除機本体の吸引機構から排出される排気を利用することもできる。
【符号の説明】
【００３８】
１…吸込口部材、２…吸引口、３…空気吹出口、２１…開口面、２２…排出通風路、２３…排出管、２４…回動機構、３１…第一空気吹出口、３２…第二空気吹出口、３３…送風管、３４…自在接続部、３５…送風通風路、３５ａ…前側送風通風路、３５ｂ…後側送風通風路、３６…空気導入口、３７…フィン、５１…かき出しブラシ、５２…回動軸、５３…仕切ブラシ、Ｄ…ゴミ、Ｆ…被清掃面、Ｌ…スリット幅、Ｗ…空気流、α，β…傾斜角度。
【図１】
2020185169.tif 000003
【図２】
2020185169.tif 000004
【図３】
2020185169.tif 000005
【図４】
2020185169.tif 000006
【図５】
2020185169.tif 000007